(57)【特許請求の範囲】
【請求項１】
輪状部材と、
前記輪状部材に取り付けられた一方端部と、ペット動物の首輪または胴輪に連結するための連結部材が取り付けられた他方端部とを有する引き綱と、
前記輪状部材に取り付けられた一方端部と、着脱可能な連結具の一方の係止部材が取り付けられた他方端部とを有する第１の装着ベルトと、
前記輪状部材に挿通するように配置され、前記連結具の他方の係止部材が取り付けられた一方端部を有し、前記輪状部材が位置する部分から前記一方端部まで延びる腰装着部と前記輪状部材が位置する部分から他方端部まで延びる肩装着部とからなる第２の装着ベルトとを備え、
前記第２の装着ベルトの一方端部と前記輪状部材が位置する部分との間に長さ調整部材が配置されて設けられ、前記第２の装着ベルトの一方端部の近傍に位置する部分が前記長さ調整部材に挿通し、かつ前記第２の装着ベルトの他方端部が前記長さ調整部材に挿通することにより、前記腰装着部と前記肩装着部の長さが調整されるとともに前記第２の装着ベルトが摺動係止される、ペット動物散歩用引き綱装着ベルト。
【請求項２】
輪状に形成された把持部が前記引き綱の一方端部と他方端部との間に取り付けられている、請求項１に記載のペット動物散歩用引き綱装着ベルト。
【請求項３】
輪状部材と、
前記輪状部材に挿通するように配置され、着脱可能な第１の連結具の一方の係止部材が取り付けられた一方端部と、前記第１の連結具の他方の係止部材が取り付けられた他方端部とを有する環状に形成された連結ベルトとを備え、
前記連結ベルトは、ペット動物の首輪または胴輪に連結される引き綱を連結することができるように構成されており、さらに、
前記輪状部材に取り付けられた一方端部と、着脱可能な第２の連結具の一方の係止部材が取り付けられた他方端部とを有する第１の装着ベルトと、
前記輪状部材に挿通するように配置され、前記第２の連結具の他方の係止部材が取り付けられた一方端部を有し、前記輪状部材が位置する部分から前記一方端部まで延びる腰装着部と前記輪状部材が位置する部分から他方端部まで延びる肩装着部とからなる第２の装着ベルトとを備え、
前記第２の装着ベルトの一方端部と前記輪状部材が位置する部分との間に長さ調整部材が配置されて設けられ、前記第２の装着ベルトの一方端部の近傍に位置する部分が前記長さ調整部材に挿通し、かつ前記第２の装着ベルトの他方端部が前記長さ調整部材に挿通することにより、前記腰装着部と前記肩装着部の長さが調整されるとともに前記第２の装着ベルトが摺動係止される、ペット動物散歩用引き綱装着ベルト。
【発明の詳細な説明】
【技術分野】
【０００１】
この発明は、一般的にはペット動物散歩用引き綱装着ベルトに関し、特に、人間が大型の犬等のペット動物と散歩するときにペット動物を繋いだ引き綱を係止して人間の身体に装着するために用いられるペット動物散歩用引き綱装着ベルトに関するものである。
【背景技術】
【０００２】
従来から、種々のペット動物散歩用引き綱装着ベルトが提案されている。
【０００３】
たとえば、特開平９−２７１２８７号公報（特許文献１）には、ペットの散歩時に両手が自由に使えるようにペット散歩用綱を手に持たなくてもよいペット散歩用綱係止ベルトが提案されている。このペット散歩用綱係止ベルトは、ペット散歩用綱を着脱自在に係止するベルトを設け、そのベルトを腰に巻いて体に装着するようにしたものである。
【０００４】
また、特開２０００−２７０７０７号公報（特許文献２）には、犬等のペットの散歩中にペットが突如走り出す等、急激な行動を起こしても、衝撃で引き綱の把手部から手が離れることのないペットの散歩用引き綱が提案されている。このペットの散歩用引き綱には、引き綱の輪状の把手部の内側に、親指を除いた指が挿入できるように４箇所に指挿入用リングが連続して設けられている。
【０００５】
さらに、特開２００２−１１２６５９号公報（特許文献３）には、犬の散歩が原因で起こる肩凝り等を防止し、糞の処理を容易にすることができるようにした犬の散歩用ベルトが提案されている。この犬の散歩用ベルトは、ワンタッチで止められる人のウエストベルトに犬用ベルトをつなぎ、ウエストベルトに犬綱をかけるための予備ホルダーを複数個取り付けたものである。
【０００６】
特開２００３−１８０１９０号公報（特許文献４）には、犬の突然の暴走による衝撃力で飼い主が引き綱に引かれて怪我をするのを防ぐための犬の引き綱用転倒防止具が提案されている。この犬の引き綱用転倒防止具は、犬の引き綱に、緊縮できる環状体をつけ、その中に引き綱のループを作り、犬の突然の暴走のショックを、ループが環状体を擦り抜けることにより吸収して、飼い主を怪我から守るものである。
【特許文献１】特開平９−２７１２８７号公報
【特許文献２】特開２０００−２７０７０７号公報
【特許文献３】特開２００２−１１２６５９号公報
【特許文献４】特開２００３−１８０１９０号公報
【発明の開示】
【発明が解決しようとする課題】
【０００７】
しかしながら、特開平９−２７１２８７号公報に開示されたペット散歩用綱係止ベルト、または特開２００２−１１２６５９号公報に開示された犬の散歩用ベルトによれば、ペットまたは犬の散歩時に両手が自由に使え、ペットまたは犬の糞を取るとき等に作業がしやすく便利になるとしても、犬等が突然走り出す等、急激な行動を起こすことによる衝撃力で腰部のみが引っ張られ、すなわち下半身が前方に引っ張られ、上半身が後方に傾いたままで人間が転倒して怪我をする恐れがある。特に犬等が急に方向転換をした場合、人間の腰部のみが引っ張られて転倒するという問題がある。
【０００８】
また、上記の犬等の急激な行動による衝撃力は人間の腰部のみによって支持されるので、身体の一部に負担がかかり、腰痛等を引き起こす可能性がある。ベルトが腰部の位置からずれて、外れる場合がある。
【０００９】
さらに、人間の腰部が犬等の行動によって引っ張られるため、犬等の歩調に合わせて人間も歩く必要がある。このため、人間の行動に犬等の行動を合わせるために犬等を引っ張り返すことが困難であるという問題がある。
【００１０】
犬等の糞の処理をする場合に人間が姿勢を低くして立ち止まっているときにおいても、犬等の急激な行動によって人間の腰部のみが引っ張られることにより、糞を適切に処理することが困難になる可能性がある。
【００１１】
特開２０００−２７０７０７号公報に開示されたペットの散歩用引き綱では、上記の犬等の急激な行動による衝撃力で引き綱が人間の手から離れることを防止することができたとしても、犬等が突然走り出す等、急激な行動を起こすことによる衝撃力で腕、肩等を痛め、肩凝りや腱鞘炎を引き起こす恐れがある。
【００１２】
特開２００３−１８０１９０号公報に開示された犬の引き綱用転倒防止具では、犬が突然暴走したときに初期の牽引の衝撃力を吸収することができたとしても、犬によって人間の腕が大きな力で引っ張り続けられた場合には、その力で腕、肩等を痛め、肩凝りや腱鞘炎を引き起こし、または人間が犬の行動に追いつくことができずに転倒して怪我をする恐れがある。
【００１３】
そこで、この発明の目的は、上述した問題を解決することができるとともに、犬等のペット動物の散歩時に急激な行動等による衝撃力で腕、肩等を痛め、肩凝りや腱鞘炎を引き起こすことがなく、人間が転倒して怪我をすることがないように、その衝撃力を分散して支持することが可能なペット動物散歩用引き綱装着ベルトを提供することである。
【課題を解決するための手段】
【００１４】
この発明の一つの局面に従ったペット動物散歩用引き綱装着ベルトは、輪状部材と、引き綱と、第１と第２の装着ベルトとを備える。引き綱は、輪状部材に取り付けられた一方端部と、ペット動物の首輪または胴輪に連結するための連結部材が取り付けられた他方端部とを有する。第１の装着ベルトは、輪状部材に取り付けられた一方端部と、着脱可能な連結具の一方の係止部材が取り付けられた他方端部とを有する。第２の装着ベルトは、輪状部材に挿通するように配置され、連結具の他方の係止部材が取り付けられた一方端部を有し、輪状部材が位置する部分から一方端部まで延びる腰装着部と輪状部材が位置する部分から他方端部まで延びる肩装着部とからなる。第２の装着ベルトの一方端部と輪状部材が位置する部分との間に長さ調整部材が配置されて設けられている。第２の装着ベルトの一方端部の近傍に位置する部分が長さ調整部材に挿通し、かつ第２の装着ベルトの他方端部が長さ調整部材に挿通することにより、腰装着部と肩装着部の長さが調整されるとともに第２の装着ベルトが摺動係止される。
【００１５】
この発明の一つの局面に従ったペット動物散歩用引き綱装着ベルトにおいては、第２の装着ベルトは、輪状部材が位置する部分を境にして二つの部分、腰装着部と肩装着部とから構成されている。一方端部が輪状部材に取り付けられた第１の装着ベルトの他方端部に取り付けられた連結具の一方の係止部材と、第２の装着ベルトの一方端部が取り付けられた連結具の他方の係止部材とが係合して第１と第２の装着ベルトを結合することによって、腰装着部と肩装着部とからなる第２の装着ベルトを人間の腰部と肩部に固定することができる。また、第２の装着ベルトの一方端部の近傍に位置する部分を長さ調整部材に挿通するとともに、第２の装着ベルトの他方端部を長さ調整部材に挿通することにより、第２の装着ベルトにおいて輪状部材が位置する部分をずらして腰装着部と肩装着部の長さを調整して第２の装着ベルトを摺動係止することができる。さらに、ペット動物の首輪または胴輪に連結するための連結部材が取り付けられた引き綱は輪状部材に取り付けられている。
【００１６】
このようにして本発明のペット動物散歩用引き綱装着ベルトが構成されているので、引き綱を通じて、犬等が突然走り出す等、急激な行動を起こすことによる衝撃力が輪状部材に加えられても、その衝撃力を、輪状部材に取り付けられている第１の装着ベルト、第２の装着ベルトにおける腰装着部、および第２の装着ベルトにおける肩装着部の三つの方向に分散することができる。このため、犬等のペット動物の散歩時に急激な行動等による衝撃力で身体の一部分のみが引っ張られることがなく、その衝撃力を人間の身体全体によって支持することができるので、たとえば下半身が前方に引っ張られ、上半身が後方に傾いたままで人間が転倒して怪我をすることを未然に防止することができる。特に犬等が急に方向転換をした場合においても、人間の身体の一部分のみが引っ張られて転倒するという事故を未然に防止することができる。また、引き綱は、輪状部材を介して第１の装着ベルトと第２の装着ベルトとに連結されているので、輪状部材の周りで自由に移動することができる。このため、上記の場合に犬等の急激な方向転換を伴う行動によって、第１と第２の装着ベルトに衝撃力が直接伝達されることがないので、人間が転倒するのを効果的に防止することができる。
【００１７】
また、上記の犬等の急激な行動による衝撃力は人間の身体全体によって支持されるので、身体の一部に負担がかかることなく、たとえば、腕、肩等を痛め、肩凝りや腱鞘炎を引き起こすことがなく、腰痛等を引き起こすのを未然に防止することができる。本発明のペット動物散歩用引き綱装着ベルトにおいては第２の装着ベルトが腰装着部と肩装着部とからなるので、装着ベルトがずれて、身体から外れるのを効果的に防止することができる。
【００１８】
さらに、犬等の糞の処理をする場合に人間が姿勢を低くして立ち止まっているときに犬等が急激な行動を起こしても、その衝撃力が人間の身体全体によって支持することができるので、糞を適切に処理することができる。
【００１９】
なお、この発明のペット動物散歩用引き綱装着ベルトにおいては、腰装着部と肩装着部とが一つの装着ベルトで構成されるので、人間の身体に簡単に装着することができる。
【００２０】
この発明の一つの局面に従ったペット動物散歩用引き綱装着ベルトにおいては、輪状に形成された把持部が引き綱の一方端部と他方端部との間に取り付けられているのが好ましい。このようにすることにより、人間の身体が犬等の行動によって引っ張られる場合に、人間の行動に犬等の行動を合わせるために把持部を用いて犬等を引っ張り返すことができる。
【００２１】
この発明のもう一つの局面に従ったペット動物散歩用引き綱装着ベルトは、輪状部材と、連結ベルトと、第１と第２の装着ベルトとを備える。連結ベルトは、輪状部材に挿通するように配置され、着脱可能な第１の連結具の一方の係止部材が取り付けられた一方端部と、第１の連結具の他方の係止部材が取り付けられた他方端部とを有し、環状に形成されている。また、連結ベルトは、ペット動物の首輪または胴輪に連結される引き綱を連結することができるように構成されている。第１の装着ベルトは、輪状部材に取り付けられた一方端部と、着脱可能な第２の連結具の一方の係止部材が取り付けられた他方端部とを有する。第２の装着ベルトは、輪状部材に挿通するように配置され、第２の連結具の他方の係止部材が取り付けられた一方端部を有し、輪状部材が位置する部分から一方端部まで延びる腰装着部と輪状部材が位置する部分から他方端部まで延びる肩装着部とからなる。第２の装着ベルトの一方端部と輪状部材が位置する部分との間に長さ調整部材が配置されて設けられている。第２の装着ベルトの一方端部の近傍に位置する部分が長さ調整部材に挿通し、かつ第２の装着ベルトの他方端部が長さ調整部材に挿通することにより、腰装着部と肩装着部の長さが調整されるとともに第２の装着ベルトが摺動係止される。
【００２２】
この発明のもう一つの局面に従ったペット動物散歩用引き綱装着ベルトにおいては、上述したこの発明の一つの局面に従ったペット動物散歩用引き綱装着ベルトの作用効果に加えて、以下の作用効果が得られる。環状に形成された着脱可能な連結ベルトに市販の引き綱（リード）を連結することができる。これにより、本発明のペット動物散歩用引き綱装着ベルトには種々のタイプの引き綱を連結することができ、また単一の引き綱だけでなく、２頭以上の犬等を引き連れて散歩する場合には複数の引き綱を連結することができる。したがって、複数の犬等を引き連れて散歩する場合においても、犬等の急激な行動等による衝撃力を人間の身体全体によって支持することができるので、人間が転倒して怪我をすることを未然に防止することができる。
【発明の効果】
【００２３】
以上のようにこの発明によれば、犬等のペット動物の散歩時に急激な行動等による衝撃力で腕、肩等を痛め、肩凝りや腱鞘炎を引き起こすことがなく、人間が転倒して怪我をすることがないように、その衝撃力を分散して人間の身体全体によって支持することができる。
【発明を実施するための最良の形態】
【００２４】
以下、この発明の実施の形態を図に基づいて説明する。
【００２５】
図１は、この発明の一つの実施の形態に従ったペット動物散歩用引き綱装着ベルトを示す斜視図である。
【００２６】
図１に示すように、引き綱装着ベルト１００は、輪状部材１０と、引き綱２０と、第１の装着ベルト４０と、第２の装着ベルト６０とを備える。
【００２７】
引き綱２０は、輪状部材１０に取り付けられた一方端部２１と、犬等のペット動物の首輪または胴輪に連結するための連結部材３０が取り付けられた他方端部２３とを有する。引き綱２０の一方端部２１は、輪状部材１０に挿入されて折り返された状態で結着部２２において縫い付けられることにより固着されている。また、引き綱２０の一方端部２１は、輪状部材１０に沿って自在に移動できるように取り付けられている。引き綱２０の他方端部２３は、連結部材３０の取付用リングに挿入されて折り返された状態で結着部２４において縫い付けられることにより固着されている。連結部材３０の取付用リングと反対側には、犬等のペット動物の首輪または胴輪に連結するためのフック等が取り付けられている。
【００２８】
引き綱２０の一方端部２１と他方端部２３との間には、輪状に形成された把持部２５と２７が取り付けられている。把持部２５は、ベルトが折り返された状態で結着部２６において引き綱２０に縫い付けられることにより輪状に形成されている。把持部２７は、ベルトが折り返された状態で結着部２８において引き綱２０に縫い付けられることにより輪状に形成されている。
【００２９】
第１の装着ベルト４０は、輪状部材１０に取り付けられた一方端部４１と、着脱可能な連結具５０の一方の係止部材５１が取り付けられた他方端部４３とを有する。第１の装着ベルト４０の一方端部４１は、輪状部材１０に挿入されて折り返された状態で結着部４２において縫い付けられることにより固着されている。また、第１の装着ベルト４０の一方端部４１は、輪状部材１０に沿って自在に移動できるように取り付けられている。第１の装着ベルト４０の他方端部４３は一方の係止部材５１の取付部に挿入されて折り返された状態で結着部４４において縫い付けられることにより固着されている。
【００３０】
第２の装着ベルト６０は、輪状部材１０に挿通するように配置され、連結具５０の他方の係止部材５２が取り付けられた一方端部６１を有する。第２の装着ベルト６０の一方端部６１は他方の係止部材５２の取付部に挿入されて折り返された状態で結着部６２において縫い付けられることにより固着されている。第２の装着ベルト６０において、輪状部材１０が位置する部分６３から一方端部６１まで延びる腰装着部６４と、輪状部材１０が位置する部分６３から他方端部６５まで延びる肩装着部６６とからなる。
【００３１】
第２の装着ベルト６０の一方端部６１と輪状部材１０が位置する部分６３との間に長さ調整部材７０が配置されて設けられている。第２の装着ベルト６０の一方端部６１の近傍に位置する部分が長さ調整部材７０に挿通し、かつ第２の装着ベルト６０の他方端部６５が長さ調整部材７０に挿通することにより、腰装着部６４と肩装着部６６の長さが調整されるとともに第２の装着ベルト６０が長さ調整部材７０に摺動することにより係止されるようになっている。
【００３２】
図２は、この発明の一つの実施の形態に従ったペット動物散歩用引き綱装着ベルトを人間の身体に装着して、犬を引き連れた状態を示す斜視図である。
【００３３】
図１に示された引き綱装着ベルト１００を人間の身体に装着するためには、まず、図２に示すように輪状部材１０を人間６００の身体の腰の中央部、たとえば、臍の位置付近に位置づける。第１の装着ベルト４０を人間６００の腰部の左側に位置づけ、輪状部材１０を介して第２の装着ベルト６０の腰装着部６４を人間６００の腰部の右側に位置づける。輪状部材１０を挿通した第２の装着ベルト６０の肩装着部６６を人間６００の右側の肩６０２に掛け、人間６００の背面側では右側の肩部から左側の腰部まで第２の装着ベルト６０の肩装着部６６を延ばす。そして、腰装着部６４において長さ調整部材７０に挿通している第２の装着ベルト６０の一方端部６１の近傍に位置する部分に、第２の装着ベルト６０の肩装着部６６を重ね合わせて他方端部６５を長さ調整部材７０に挿通させる。連結具５０の一方の係止部材５１と他方の係止部材５２とを係合させることにより、第１の装着ベルト４０と第２の装着ベルト６０とを連結して固定する。第２の装着ベルト６０の他方端部６５を長さ調整部材７０に対して引っ張る、または緩めることにより、腰装着部６４と肩装着部６６とが適切な長さで人間６００の腰６０１と肩６０２に装着されて締め付けられるように調整する。さらに、犬５００の首輪５０１に連結するための連結部材３０が取り付けられた引き綱２０は輪状部材１０に取り付けられている。
【００３４】
このようにして引き綱装着ベルト１００が人間６００の腰６０１と肩６０２に装着された状態で引き綱２０によって犬５００に連結されるので、引き綱２０を通じて、犬５００が突然走り出す等、急激な行動を起こすことによる衝撃力が輪状部材１０に矢印Ａで示す方向に加えられても、その衝撃力を、輪状部材１０に取り付けられている第２の装着ベルト６０における腰装着部６４が延びる方向（矢印Ｂで示す方向）、第２の装着ベルト６０における肩装着部６６が延びる方向（矢印Ｃで示す方向）、および第１の装着ベルト４０が延びる方向（矢印Ｄで示す方向）の三つの方向に分散することができる。このため、犬５００の散歩時に急激な行動等による衝撃力で人間６００の身体の一部分のみが引っ張られることがなく、その衝撃力を人間６００の身体全体によって支持することができるので、たとえば下半身が前方に引っ張られ、上半身が後方に傾いたままで人間６００が転倒して怪我をすることを未然に防止することができる。特に犬５００が急に方向転換をした場合においても、人間６００の身体の一部分のみが引っ張られて転倒するという事故を未然に防止することができる。
【００３５】
また、引き綱２０は、輪状部材１０を介して第１の装着ベルト４０と第２の装着ベルト６０とに連結されているので、輪状部材１０の周りで自由に移動することができる。このため、上記の場合に犬５００の急激な方向転換を伴う行動によって、第１と第２の装着ベルト４０と６０とに衝撃力が直接伝達されることがないので、人間６００が転倒するのを効果的に防止することができる。
【００３６】
また、上記の犬５００の急激な行動による衝撃力は人間６００の身体全体によって支持されるので、身体の一部に負担がかかることなく、たとえば、腕、肩等を痛め、肩凝りや腱鞘炎を引き起こすことがなく、腰痛等を引き起こすのを未然に防止することができる。
【００３７】
引き綱装着ベルト１００においては第２の装着ベルト６０が腰装着部６４と肩装着部６６とからなるので、装着ベルトがずれて、身体から外れるのを効果的に防止することができる。
【００３８】
さらに、犬５００の糞の処理をする場合に人間６００が姿勢を低くして立ち止まっているときに犬５００が急激な行動を起こしても、その衝撃力が人間６００の身体全体によって支持することができるので、糞を適切に処理することができる。
【００３９】
なお、引き綱装着ベルト１００においては、腰装着部６４と肩装着部６６とが一つの装着ベルト６０で構成されるので、人間６００の身体に簡単に装着することができる。
【００４０】
引き綱装着ベルト１００においては、輪状に形成された把持部２５と２７が引き綱２０の一方端部２１と他方端部２３との間に取り付けられているので、人間６００の身体が犬５００の行動によって引っ張られる場合に、人間６００の行動に犬５００の行動を合わせるために把持部２５または２７を用いて手繰り寄せて犬５００を引っ張り返すことができる。
【００４１】
図３は、この発明のもう一つの実施の形態に従ったペット動物散歩用引き綱装着ベルトを示す斜視図である。
【００４２】
図３に示すように、引き綱装着ベルト２００が図１に示される引き綱装着ベルト１００と異なる点は連結ベルト８０が輪状部材１０に取り付けられていることである。連結ベルト８０は、輪状部材１０に挿通するように配置され、着脱可能な連結具９０の一方の係止部材９１が取り付けられた一方端部８１と、連結具９０の他方の係止部材９２が取り付けられた他方端部８３とを有し、環状に形成されている。連結ベルト８０の一方端部８１は、連結具９０の一方の係止部材９１の取付部に挿入され、結着部８２において連結ベルト８０に縫い付けられて固着されている。連結ベルト８０の他方端部８３は、連結具９０の他方の係止部材９２の取付部に挿入されて折り返された状態で、結着部８４において縫い付けられて固着されている。また、連結ベルト８０は、犬等のペット動物の首輪または胴輪に連結される引き綱３００を連結することができるように構成されている。引き綱３００の一方端部３０１に取り付けられた輪状把持部材３０３に連結ベルト８０が挿通されることにより、引き綱３００と連結ベルト８０とが連結され、ひいては引き綱３００が輪状部材１０を介して第１の装着ベルト４０と第２の装着ベルト６０とに連結される。引き綱３００の一方端部３０１は、輪状把持部材３０３に挿入されて折り返された状態で結着部３０２において縫い付けられることにより固着されている。引き綱３００の他方端部３０４には結着部３０５により、犬等のペット動物の首輪または胴輪を連結するための連結部材３０６が取り付けられている。
【００４３】
上記のように構成された引き綱装着ベルト２００においては、上述した引き綱装着ベルト１００の作用効果に加えて、以下の作用効果が得られる。環状に形成された着脱可能な連結ベルト８０に市販の引き綱（リード）、たとえば、図３に示されるような引き綱３００を連結することができる。これにより、引き綱装着ベルト２００には種々のタイプの引き綱を連結することができ、また単一の引き綱だけでなく、２頭以上の犬等を引き連れて散歩する場合にも、複数の引き綱を連結ベルト８０に連結することができる。したがって、複数の犬等を引き連れて散歩する場合においても、犬等の急激な行動等による衝撃力を人間の身体全体によって支持することができるので、人間が転倒して怪我をすることを未然に防止することができる。その結果、本発明のペット動物散歩用引き綱ベルトの汎用性を高めることができる。
【００４４】
なお、引き綱装着ベルト１００または引き綱装着ベルト２００においては、ペット動物の散歩時に両手が自由に使えることができ、引き綱２０または引き綱３００を持たなくてもよい状態が可能になるので、糞の処理等の作業を行うことができる。また、引き綱装着ベルト２００において複数の引き綱３００を連結ベルト８０に連結する場合には、ある一つの引き綱に連結された一頭のペット動物の糞の処理等の世話を両手で行っていても、もう一つの引き綱を連結ベルト８０に連結しておくことにより別のペット動物を引き連れた状態で上記の世話を行うことができる。
【００４５】
上記の実施の形態では、犬の首輪に引き綱を連結した例を示したが、胴輪に引き綱を連結してもよい。
【００４６】
また、上記の実施の形態の引き綱装着ベルト１００または引き綱装着ベルト２００において第２の装着ベルト６０に発光体等を付着することにより、夜間の散歩時に危険防止等のために他人の注意を促すようにしてもよい。上記の実施の形態では輪状部材１０または輪状把持部材３０３として円形状のものを示したが、楕円形、四角形等の多角形の環状部材でもよい。糞処理用の袋体等を第２の装着ベルト６０の腰装着部６４に取り付けてもよい。
【００４７】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正や変形を含むものである。
【図面の簡単な説明】
【００４８】
【図１】この発明の一つの実施の形態に従ったペット動物散歩用引き綱装着ベルトを示す斜視図である。
【図２】この発明の一つの実施の形態に従ったペット動物散歩用引き綱装着ベルトを人間の身体に装着して、犬を引き連れた状態を示す斜視図である。
【図３】この発明のもう一つの実施の形態に従ったペット動物散歩用引き綱装着ベルトを示す斜視図である。
【符号の説明】
【００４９】
１００，２００：引き綱装着ベルト、１０：輪状部材、２０：引き綱、２５，２７：把持部、３０：連結部材、４０：第１の装着ベルト、５０：連結具、６０：第２の装着ベルト、６４：腰装着部、６６：肩装着部、７０：長さ調整部材、８０：連結ベルト、９０：連結具、３００：引き綱、５００：犬、６００：人間。
【要約】
【課題】  犬等のペット動物の散歩時に急激な行動等による衝撃力を分散して支持することが可能なペット動物散歩用引き綱装着ベルトを提供することである。
【解決手段】  引き綱装着ベルト１００は輪状部材１０と引き綱２０と第１と第２の装着ベルト４０と６０とを備える。引き綱２０は輪状部材１０に取り付けられた一方端部２１とペット動物の首輪に連結するための連結部材３０が取り付けられた他方端部２３とを有する。第１の装着ベルト４０は輪状部材１０に取り付けられた一方端部４１と着脱可能な連結具５０の係止部材５１が取り付けられた他方端部４３とを有する。第２の装着ベルト６０は輪状部材１０に挿通するように配置され、連結具５０の係止部材５２が取り付けられた一方端部６１を有し、腰装着部６４と肩装着部６６とからなる。第２の装着ベルト６０の一方端部６１の近傍部分と他方端部６５とが長さ調整部材７０に挿通する。
【選択図】        図１
【図１】
0003599735.tif 000002
【図２】
0003599735.tif 000003
【図３】
0003599735.tif 000004